(57)【要約】【課題】  従来ワックス掛けなどのスキー板の整備調整作業は、作業台に固定した専用バイスでスキー板を挟み固定して行っていたが、この方式には以下のような問題があった。イ）作業台は作業時に加わる力に対抗するため頑強で重いものとなり、運搬や保管に不便であった。ロ）近年のモノコック形状のスキー板ではその形状のため、十分な保持力が得られなかった。ハ）滑落防止ストッパーが作業の邪魔になるので転倒させる必要があった。ニ）作業位置が高いため、飛散するワックスの削り屑から床の汚れを防止するため広範囲を覆う必要があった。【解決手段】  作業台を床などに直置きにすることにより、小型軽量化した。ビンディングに連結具を装着し、載置台に横たえ中央部をたわませて固定部に系合することにより、スキー板を強固に保持することができる。連結具をビンディングに装着することにより、滑落防止ストッパーを転倒することができる。作業台を床に直置きし、周囲を新聞紙などで覆うことで、汚れを防止できる。【選択図】図３
2011050722.tif 000002
【特許請求の範囲】
【請求項１】
載置台と連結具を有するスキー作業台において、底部に滑り止めを有した縦長の台座と、前記台座の上面の長手側両端近傍部に締結してスキー板を支持する支持台と、前記支持台の間の前記台座上面に設置し、前記連結具を系合する機構を有する固定具とからなる載置台、及びスキー靴の底部を模したＩＳＯ  ５３５５に規定されるつま先形状と踵形状を両端に備具し、この両端の長さを調整する機構を有し、前記載置台に系合する機構を有した連結フランジを備具する連結具とからなる、スキー作業台。
【請求項２】
前記支持台として、滑走面作業時に滑走面を上向きにして横たえた状態のスキー板を支持する上部滑り止めを有し、スキー板側面作業時に滑走面を垂直にして横たえた状態のスキー板を差し込んで支持する左右２つの縦溝を有し、請求項１の台座に締結して両支持台の間隔を調整しさまざまな長さのスキー板の載置が可能な支持台を有する、請求項１に記載のスキー作業台。
【請求項３】
請求項２の機能に加え、収納時に折り畳む機能を備具した支持台を有する請求項１に記載のスキー作業台。
【請求項４】
前記固定具として、滑走面作業時に、前記連結フランジに設けた系合穴と固定穴を締結具により系合することのできる平置き固定具を有する、請求項１に記載のスキー作業台。
【請求項５】
前記固定具として、滑走面作業時に、ノブを廻すと連動する固定金具を引き込み、ノブを放すと弾性体の力により固定金具を押し出すことにより、前記連結具を系合することのできる平置き固定具を有する、請求項１に記載のスキー作業台。
【請求項６】
前記固定金具として、側面作業時に、前記連結フランジに設けた系合穴と固定穴を締結具により系合することのできる、高さ調整可能な縦置き固定具を有する、請求項１に記載のスキー作業台。
【請求項７】
前記固定金具として、側面作業時に、前記連結フランジに設けた系合穴に通し、固定溝に差し込んで連結フランジを系合できる、高さ調整可能な縦置き固定具を有する、請求項１に記載のスキー作業台。
【請求項８】
前記連結具の長さ調整機構として、一方を他方に設けた溝に嵌合し摺動させて、適合するスキー靴の長さに合わせて締結し、ビンディングに装着してスキー板を保持する連結具を有する、請求項１に記載のスキー台。
【請求項９】
前記連結具の長さ調整機構として、一方を他方に設けた溝に嵌合し摺動させて、保持状態のビンディングの内側に差し込み、連結具のスリットにクリップのフックを差し込みクリップレバーを倒すことによりビンディングに装着して、スキー板を保持する連結具を有する、請求項１に記載のスキー作業台。
【発明の詳細な説明】
【技術分野】
【０００１】  本発明は、スキー板のワックス掛けなどの整備調整時に、スキー板を保持する作業台に関するものである。
【背景技術】
【０００２】  スキー板の整備調整作業では、（イ）滑走面を平滑にするための切削研磨作業、（ロ）サイドエッジの角を鋭利にし、角度付を施すための滑走面側、側面側の研磨作業、（ハ）融解したワックスを滑走面に塗布し、凝固後余分なワックスを削り取るワクシング作業などが行われる。【０００３】  これらの作業は従来机状の作業台に、スキーバイスを固定し、スキー板の前後をバイスで挟み固定して行われていた。
滑走面の切削作業などでは、工具を押さえながら引くため大きな力が掛かる。また、スキー板のサイドエッジは、９０度ではあっても鋭利な刃物である。このため整備調整作業時には怪我をしないように確実にスキー板を保持することが重要である。
しかし、近年のスキー板は、剛性を高めるためスキー板上面を一体成型したモノコック形状のものが多く、曲面の多い形状や、台形のものがほとんどであり、従来のスキーバイスによる固定では十分な保持力が得られない場合が多かった。
また、カービング、フリースタイル、バックカントリーなどスキー板の多様化に伴い、スキー板の長さも幅も多くの種類が開発されており、スキー板の保持手段も、これに対応する必要がある。【０００４】  一方、スキー板とスキー靴を結合するビンディングは、規格が統一されそれぞれ違うメーカーの物でも使用でき、ビンディングにつま先を差し込み、踵を踏み込むだけで結合できるステップイン式のものが大半を占めている。
ビンディングはスキーヤーの安全のため、一定以上の力が加わると保持を開放する機構になっており、この開放機構はスキー板の前後方向の力には強固に対抗するが、ヨーイング方向には比較的弱い力で開放される。【０００５】  スキー作業台の先行技術にも多くのものがある。
スキー板の保持に、ビンディングを利用したものに、特許文献１がある。
これはスキー靴底部形状を模した連結具をビンディングに装着し、この連結具を作業台に系合する点では本発明と同じであるが、連結具と作業台とをネジ固定する箇所には十分な強度を必要とし、作業台が従来と同じ机状の脚部を持つため水平方向力に対抗する十分な剛性が必要となるため、作業台を小型軽量化することはできないと考えられる。
また、脚部を持つため腰高での作業となりワックス削り屑の飛散が考えられる。【０００６】作業台の収納性を改善した先行技術として特許文献２、特許文献３があるが、特許文献１と同じく脚部を持つため剛性確保のため重量化、複雑化は避けられないし、ワックス削り屑の飛散が発生する。【０００７】既存作業台に台座を直接設置する先行技術として特許文献４があるが、台座自体の固定方法はバイスによるもので、前記特許文献と同じく脚部を有する作業台が必要となる。
また、スキー板の保持方法は従来式の挟持方式である。
【先行技術文献】
【特許文献】
【０００８】
【特許文献１】特開平６−３９０７６
【特許文献２】特開２００３−６２１４８
【特許文献３】特開２００４−２９８３９７
【特許文献４】実開平６−８１５７４
【発明の概要】
【発明が解決しようとする課題】
【０００９】従来のスキー板作業台には以下のような問題点があった。
（イ）頑丈で重い作業台
スキー板の切削研磨作業時には、体重を掛け工具を後方に引くため下向きと前後方向に大きな力が掛かる。また、スキーバイスは作業台天板を上下から挟んで固定するため天板下方にも空間が必要である。このため天板に脚部を設け作業者の腰高に設定したものが多いが、水平方向の力に対抗するため頑丈で重い構造となり、設置のために多くのスペースが必要であった。
また、スキーはほとんど冬季だけのスポーツであり、上記の重く大きな作業台は、オフシーズンの収納場所にも問題となった。
また、この大きさと重さのためスキーツアーなどに持ち運ぶことも困難であった。【００１０】（ロ）十分な保持力が得られない
従来のスキーバイスによる保持では、モノコックボディータイプのスキー板の場合、十分な保持力が得られない。
また、スキー板の前後を挟んで固定するため、スキー板中央部の作業時にはスキー板がたわんではずれ易く、はずれた場合、床に落下するなどの危険があった。【００１１】（ハ）滑落防止ストッパーが作業の邪魔になる
近年のスキー板にはスキー靴から外れた場合、スキー板の滑落を防止するため滑落防止ストッパーが飛び出す仕組みになっているが、滑走面の整備調整作業の邪魔になった。【００１２】（ニ）作業環境が汚れる
ワックス掛け作業時、熱溶解したワックスが床に零れ床を汚してしまう。また、余分なワックスを削り取る必要があるが、削り取られたワックスはカンナ屑のような薄い帯状になって床面に飛散する。このワックス屑を踏んでしまうと、床に頑固にこびり付き大変除去しにくいものである。
また、スキーバイスは作業台天板の上下を挟んで固定するので、作業台の縁に取付けることになり、ワックス屑が手前では床に、反対側では作業台上かその向こうの床に落ちることになる。
室内での作業時、床を汚さないように新聞紙などを敷いたりするが、作業台の高さ分広範囲をカバーする必要がある。
本発明は、上記の問題点を解決するものである。
【課題を解決するための手段】
【００１３】  前記課題を解決する手段として本発明は、以下を特徴とするスキー作業台である。底面に滑り止めを貼った台座の上面両端近傍部に、スキー板を横たえて載置する支持台を設け、両支持台の間に支持台上に横たえたスキー板を系合する平置き固定具と縦置き固定具を有する載置台と、スキー靴底部を模したＩＳＯ  ５３５５に規定されるつま先と踵形状を両端に設け、この両端の長さを調整する機構を有し、連結フランジを備具した連結具とからなることを特徴とする。【００１４】  滑走面作業時に、滑走面を上向きにして横たえた状態のスキー板を支持する上部滑り止めを有し、スキー板側面作業時に滑走面を垂直にして横たえた状態のスキー板を差し込んで支持する左右２つの縦溝を有し、台座に締結して両支持台の間隔を調整しさまざまな長さのスキー板の載置が可能な支持台を有するとすることを特徴とする。【００１５】  また、請求項３のスキー作業台では、前記支持台の機能に加え、収納時に折り畳む機能を備具した支持台を有することを特徴とする。【００１６】  滑走面作業時に、連結フランジに設けた系合穴と固定穴を締結具により系合することのできる平置き固定具を有することを特徴とする。【００１７】  また、請求項５のスキー作業台では、滑走面作業時に、ノブを廻すと連動する固定金具を引き込み、ノブを放すと弾性体の力により固定金具を押し出すことにより、連結具を系合することのできる平置き固定具を有することを特徴とする。【００１８】  側面作業時に、連結フランジに設けた系合穴と固定穴を締結具により系合することのできる、高さ調整可能な縦置き固定具を有することを特徴とする。【００１９】  また、請求項７のスキー作業台では、側面作業時に、連結フランジに設けた系合穴を通して、固定溝に差し込んで連結フランジを系合できる、高さ調整可能な縦置き固定具を有することを特徴とする。【００２０】  連結具の長さ調整機構として、一方を他方に設けた溝に嵌合し摺動させて、適合するスキー靴の長さに合わせて締結し、ビンディングに装着してスキー板を保持する機構を有することを特徴とする。【００２１】  また、請求項９のスキー作業台では、連結具の長さ調整機構として、一方を他方に設けた溝に嵌合し摺動させて、保持状態のビンディングの内側に差し込み、連結具のスリットにクリップのフックを差し込みクリップレバーを倒すことにより、ビンディングに装着してスキー板を保持する機構を有することを特徴とする。
【発明の効果】
【００２２】（イ）小型軽量化を実現する
本発明の直置き式作業台は、床やカーペット、畳、既存の机の上に直接置き、この上にスキー板を載置しての整備調整作業を可能にする。このため作業台を運搬可能な大きさに軽量小型化することができる。【００２３】（ロ）十分で安定した保持を実現する
連結具をビンディングに装着し、載置台に系合するため前後方向に強固に保持することができる。また、スキー板を前後、中央の３点で支持するため下向きの力を分散して負担でき、スキー板の弾力を利用して保持するためガタツキの少ない安定した保持を得ることができる。【００２４】（ニ）滑落防止ストッパーを自動転倒できる
滑落防止ストッパーは、スキー靴を装着した状態ではスキー靴に押されて収納する構造になっており、本発明の場合、固定具を装着する段階でストッパーが転倒するので、作業の邪魔にならない。【００２５】（ホ）作業環境を汚しにくい
床面から低い位置で作業できるため、削り屑が飛散しにくい。
また、机の上に設置して作業する場合でも机の中央に置くことができるので、作業台の前後左右に新聞紙を敷くだけで汚れを防止できる。【００２６】（ヘ）作業中の安全を確保することができる
滑走面作業時には、前後支持台上端に設けたゴム等の滑り止めによりヨーイング方向の力に対抗し、ビンディングが解放しにくい。
また、万一ビンディングが開放した場合でも、支持台上面で支持されるので、大きく姿勢を崩すことが少ない。
側面作業時、ビンディングが開放された場合でも前後支持台の溝がガイドとなり、大きく姿勢を崩すことがない。
【図面の簡単な説明】
【００２７】
【図１】構成部品斜視図
【図２】連結具装着時斜視図
【図３】滑走面作業時正面図
【図４】側面作業時斜視図
【図５】クリップ式連結具斜視図
【図６】折り畳み式作業台斜視図
【図７】平置き固定具断面図
【図８】縦置き固定具正面
【発明を実施するための形態】
【００２８】  本発明は、上端にゴム等の上部滑り止め（１２ａ）を有し左右２つの縦溝（１２ｂ）を設けた支持台（１２）と、長方形の板の長手側の両端近傍上面に前記支持台（１２）の間隔を調整して設置するための支持台固定穴（１１ａ）を適度な間隔で複数箇所設け、底面にゴム等の底部滑り止め（１１ｂ）を貼った台座（１１）と、前記両支持台の間で前記台座の上面に設置する平置き固定具（１３）と、高さを調整可能な縦置き固定具（１４）からなる載置台（１）、及び長さ調整機構を有しＩＳＯ  ５３５５に規定されるつま先と踵形状を有し、連結フランジ（２１ａ）を備具した連結具（２）とからなる直置き式スキー作業台である。（図１参照）
【００２９】  本発明は以上のような構造であるので、これを使用する際には、まず対象のスキー板の長さに合わせて支持台（１２）を台座の支持台固定穴（１１ａ）に締結具を用いて固定する。
【００３０】  次に、連結具Ａ（２１）に連結具Ｂ（２２）を差し込み対象スキー靴の長さに合わせて締結具により固定し、ビンディングに押し込んで装着する。（図２参照）
【００３１】  滑走面作業時には、連結具（２）を装着したスキー板を滑走面を上向きにして両支持台（１２）の上に渡して横たえ、中央を適度に押さえスキー板をたわませた状態で、平置き固定具固定穴（１３ａ）と連結フランジ系合穴（２１ｂ）を締結具（１５）で系合する。（図３参照）
スキー板を両支持台（１２）と平置き固定具（１３）の３点で保持し、スキー板の弾力を利用することによりスキー板を安定して保持することができる。
【００３２】  側面作業の場合、スキー板の滑走面を垂直に向けた状態で前後支持台の縦溝に差し込む。
縦置き固定具（１４）の高さを連結フランジの高さに調整し締結具で固定する。
スキー板の滑走面を押して適度にたわませた状態で、縦置き固定具の固定穴（１４ａ）と連結フランジ系合穴（２１ｂ）を締結具（１５）で系合する。（図４参照）
側面作業の場合も３点支持とスキー板の弾力により安定した保持力が得られる。また、万一ビンディングが開放した場合でも縦溝により安全に保持できる。
【００３３】  また、連結具（２）の長さ調整機構として、クリップ式連結具を保持状態のビンディングの内側に差し込みフック（３３ｂ）をスリット（３２ａ）に差し込んでクリップレバー（３３ａ）を倒すことによりバネ（３３ｃ）の力によって保持する方法もある。（図５参照）
【００３４】  また、載置台の形態として台座にアルミ合金等の角パイプを使用し、支持台に折り畳み機能を持たせた折り畳み式載置台（４）も考えられる。（図６参照）
【００３５】  平置き固定具と連結フランジの系合方法として、ノブ（５１ａ）を廻して連動する固定金具（５１ｂ）を引き込み、連結フランジの系合穴（２１ｂ）を合わせ、ノブを放すことにより弾性体（５１ｃ）の力で固定金具（５１ｂ）を押し出し連結具を系合する方法もある。（図７参照）
【００３６】  縦置き固定具と連結フランジの系合方法をして、固定金具（５２ａ）に連結フランジの系合穴（２１ｂ）を通し、固定溝（５２ｂ）に差し込んで系合する方法もある。（図８参照）
【符号の説明】
【００３７】１      載置台
１１    台座
１１ａ  支持台固定穴
１１ｂ  底部滑り止め
１２    支持台
１２ａ  上部滑り止め
１２ｂ  縦溝
１３    平置き固定具
１３ａ  固定穴
１４    縦置き固定具
１４ａ  固定穴
１５    締結具
２      連結具
２１    連結具Ａ
２１ａ  連結フランジ
２１ｂ  系合穴
２２    連結具Ｂ
３      クリップ式連結具
３１    連結具Ａ
３１ａ  連結フランジ
３２    連結具Ｂ
３２ａ  スリット
３３    クリップ
３３ａ  クリップレバー
３３ｂ  フック
３３ｃ  バネ
４      折り畳み式載置台
４１    台座
４１ａ  支持台固定穴
４１ｂ  底部滑り止め
４２    支持台
４２ａ  上部滑り止め
４２ｂ  縦溝
４３    平置き固定具
４４    縦置き固定具
５１    平置き固定具
５１ａ  ノブ
５１ｂ  固定金具
５１ｃ  弾性体
５２    縦置き固定具
５２ａ  固定金具
５２ｂ  固定溝
【図１】
2011050722.tif 000003
【図２】
2011050722.tif 000004
【図３】
2011050722.tif 000005
【図４】
2011050722.tif 000006
【図５】
2011050722.tif 000007
【図６】
2011050722.tif 000008
【図７】
2011050722.tif 000009
【図８】
2011050722.tif 000010